(57)【要約】【課題】浴槽水中のゴミ等の汚れ物質を良好に浴槽外に排出することのできる浴槽を提供する。【解決手段】浴槽水中に水を噴出させて水流を発生させる複数の水流発生口２，２，２を浴槽の底面に設け、浴槽の側面には、浴槽水面位置に浴槽水の排出口３を設けて構成し、水流発生口２，２，２から噴出される水の水流でゴミ等を排出口３に誘導することができるように構成する。【選択図】図２
2009131427.tif 000002
【特許請求の範囲】
【請求項１】
浴槽水中に水を噴出させて水流を発生させる水流発生口を浴槽の底面に設けるとともに、浴槽の側面の浴槽水面位置に浴槽水の排出口を設けたことを特徴とする浴槽。
【請求項２】
前記水流発生口を複数個所に設けたことを特徴とする請求項１に記載の浴槽。
【請求項３】
前記複数の水流発生口からの水の噴出タイミングを制御可能に構成したことを特徴とする請求項２に記載の浴槽。
【請求項４】
前記排出口の浴槽外側に水溜部を設け、該水溜部内の水をポンプで吸水できるように構成した請求項１または請求項２または請求項３に記載の浴槽。
【請求項５】
前記ポンプで水溜部から吸水した水を前記水流発生口から浴槽内へ戻すように配管構成したことを特徴とする請求項４に記載の浴槽。
【発明の詳細な説明】
【技術分野】
【０００１】
本発明は、髪の毛，湯垢，皮脂等の汚れ物質を浴槽外に捨てて、浴槽水を浄化できる浴槽に関するものである。
【背景技術】
【０００２】
従来、特許文献１に開示されているように、浴槽水位に応じて吸引部の高さを可変する吸引位置可変機構を有し浴槽水面の垢等の汚れを吸引する吸引部と、浴槽排水栓の機能を兼ね備えるとともに浴槽排出口に挿入脱着可能とした排出部と、吸引部および排出部を連通する連通部と、吸引部の開閉手段を備えて、吸引部から浴槽水表面の汚れを吸引し、排出部から排出するように構成した垢取り装置が存在する。
【特許文献１】特開２０００−２４４１８号公報
【発明の開示】
【発明が解決しようとする課題】
【０００３】
上記特許文献１に開示されている装置では、気泡で汚れ物質を浮かせて水流で集めるものであるが、滞留するゴミや髪の毛や湯垢，皮脂等を水流で良好に排出部側へ移動させることが困難なものであった。
【課題を解決するための手段】
【０００４】
本発明は、水流を噴出させて浴槽水中の汚れ物質を良好に集めて浴槽外へ排出できる浴槽を提供することを目的の１つとし、この目的の少なくとも一部を達成するために以下の手段を採った。
本発明は、浴槽水中に水を噴出させて水流を発生させる水流発生口を浴槽の底面に設けるとともに、浴槽の側面の浴槽水面位置に浴槽水の排出口を設けたことを要旨とする。
【発明の効果】
【０００５】
本発明では、水流発生口が浴槽の底面に形成され、水流発生口から上方に向かって水が噴出され、浴槽の側面等に水流が反射する回数が減るためにエネルギー効率が向上し、ゴミ等の汚れ物質を効率良く浴槽水の表面側に集め排出口から排出することができるものとなる。
【０００６】
また、本発明において、前記水流発生口を複数個所に設けて構成することもできる。
こうすれば、複数の水流発生口から水を噴出させて、さらに効率的にゴミを排出口に誘導することができ、ゴミ収集を効率的に行うことができるものとなる。
【０００７】
また、本発明において、前記複数の水流発生口からの水の噴出タイミングを制御可能に構成することもできる。
こうすれば、例えば、浴槽の中心から外側にある水流発生口から先ず水を噴出させ、浴槽水表面に浮遊しているゴミ等を浴槽の中央部に寄せた後に、浴槽中央部の水流発生口から水を噴出させて、中央に集めたゴミ等を排出口に寄せてゆくように制御することができ、効率的に浮遊するゴミ等を排出口に誘導してゆくことができるものとなる。
【０００８】
また、本発明において、前記排出口の浴槽外側に水溜部を設け、該水溜部内の水をポンプで吸水できるように構成することもできる。
こうすれば、排出口の外側に水溜部を設置し、水流を水溜部にまで流すことができ、水流とともに集められるゴミ等の汚れ物質を確実に排出口から水溜部内に入れることができる。
【０００９】
また、本発明において、前記ポンプで水溜部から吸水した水を前記水流発生口から浴槽内へ戻すように配管構成することもできる。
こうすれば、水溜部内の水は、ポンプが作動することにより循環管路を通り水流発生口から浴槽内に戻されるため、浴槽水中に水を噴出させゴミや髪の毛や湯垢，皮脂等を良好に排出口側へ移動させることができる。
【発明を実施するための最良の形態】
【００１０】
次に、本発明を実施するための最良の形態を実施例を用いて説明する。
先ず、浴槽水浄化の動作を図１のフローチャートを用いて説明する。
図１において、微細気泡発生装置が起動して、浴槽内に溜められている浴槽水中に微細気泡を噴出させて、浴槽水中に微細気泡を充満させる。この微細気泡により、浴槽水中の髪の毛，湯垢，皮脂，ゴミ等の汚れ物質は、微細気泡とともに浴槽水面に浮上することとなり、この状態で微細気泡発生装置からの微細気泡の噴出を停止させる。
その後、水流発生装置を起動させ、水を浴槽水中に噴出させて浴槽水中に水流を発生させ、浮遊したゴミ等の汚れ物質を水流により排出口付近に移動させる。ここで排出装置を起動させて、排出口に集められた浮遊ゴミ等を捨て水とともに浴槽外に排出させる。
【００１１】
このようにして浴槽水中の髪の毛，湯垢，皮脂，ゴミ等の汚れ物質を良好に浴槽外に排出して浴槽水を浄化することができるものであり、具体的な実施例を図２および図３に示す。
図２は、内側から視た浴槽の斜視構成図であり、図３は、外側から視た浴槽の斜視構成図である。
【００１２】
図において、略長方形状に形成された浴槽１の長尺側の側面１ａに、排出口３が開口されている。この排出口３の内側には、浴槽水の浮力で上下動できる排出口ゲートを設けておくことができる。また、浴槽１の底面には、複数の水流発生口２，２，２が設けられている。
【００１３】
排出口３の外側には、タンク状の水溜部５が設けられており、排出口３から流入した浴槽水を内部に溜めることができるものである。
水溜部５の底側には循環管路６の上流端が接続されている。循環管路６の下流端は前記複数の水流発生口２，２，２に接続されている。この循環管路６の途中にはポンプ７が設けられており、ポンプ７が作動することで、水溜部５内の浴槽水を循環管路６を通し水流発生口２から浴槽１内に噴出させることができるように構成されている。
【００１４】
また、水溜部５の側面には、上方へ向かって湾曲状に立ち上げてホース８が接続されており、ホース８の上端は自由端となっており、開口８ａが形成されている。
このホース８は排出装置を構成するものであり、可撓性または蛇腹状のもので構成することができる。また、ホース８は、水溜部５側の根元を中心として上下方向に回動できるように構成しておくこともできる。
なお、本例では、水流発生口２は気泡発生口と兼用されているが、気泡発生口（微細気泡発生装置）を別途、浴槽１の側面１ａあるいは底面に設けて、気泡発生口に別途ポンプを接続した構成であっても良い。
【００１５】
このような構成において、気泡発生口から気泡が噴出されて、浴槽水中の髪の毛，湯垢，皮脂，ゴミ等が気泡とともに浮上して浴槽水面に集められるが、浴槽水が水溜部５内から循環管路６を通して水流発生口２から浴槽１内に噴出され、排出口３側にゴミ等の汚れ物質が集められて、浴槽水面の浴槽水が排出口３から水溜部５内に流れ、水溜部５内に浴槽水とともに汚れ物質が流入されるものである。
【００１６】
水流発生口２からの水流の噴出を止めるまでは、図３のように、排出装置を構成するホース８は開口８ａを上向きに保持しておく。
図３の状態では、ホース８の先端開口８ａが浴槽１内の浴槽水面の水位よりも上方位置に保持されている限り、先端開口８ａから浴槽水が漏れることはない。
【００１７】
なお、ホース８の開口８ａを手動または電動で上下動させて操作できるように構成され、この図３の状態から、ホース８の開口８ａを下方側へ押し下げると、これに伴いホース８は根元を中心として回転するか、或いは曲げられて開口８ａが下向き状態となり、この状態では、水溜部５内に溜まっている汚れ物質を含んだ浴槽水が良好に排出されるものであり、汚れ物質を排出した後に、再びホース８の開口８ａを押し上げて、ホース８の先端開口８ａを上向きにして保持しておくことができるものである。
【００１８】
このように、排出口３の外側の水溜部５まで水流が到達するため、水溜部５内に良好に浮遊したゴミ等を誘導してゆくことができるものとなり、確実にゴミ等を水溜部５に入れて、ホース８を下向きに操作して良好にゴミ等の汚れ物質を外部に排出できるものである。
【００１９】
なお、浴槽底面の各水流発生口２からそれぞれ噴出される水流は、水溜部５内の水をポンプ７で噴出させるものである場合の他、浴槽内の浴槽水を吸い込んでポンプで各水流発生口２から噴出させるように、別途ポンプと循環管路を各水流発生口２に接続した構成であっても良い。
また、各水流発生口２，２からは同時に水流を噴出させるものであっても良く、さらには、それぞれの水流発生口２から噴出させるタイミングを制御可能に構成することもできる。
【００２０】
なお、複数の水流発生口２，２，２から噴出される水の噴出タイミングを制御する場合は、例えば、浴槽１の中心から外側にある水流発生口２，２，から先ず水を噴出させ、浴槽水表面に浮遊しているゴミ等を浴槽の中央部に寄せた後に、浴槽中央部の水流発生口２から水を噴出させて、中央に集めたゴミ等を排出口３に寄せてゆくように制御すると、効率的に浮遊するゴミ等を排出口３に誘導してゆくことができるものとなる。
【００２１】
なお、水流発生口２，２が浴槽の底面に形成されているため、水流発生口２から上方に向かって水が噴出され、浴槽の側面等に水流が反射する回数が減るためにエネルギー効率が向上し、ゴミ等の汚れ物質を効率良く浴槽水の表面側に集めることができるものとなる。
また、浴槽底面には孔開け等の作業を楽に行えるため、側面１ａに孔を開けて水流発生口２を取り付ける場合に比べて、底面側に水流発生口２を設ける方が施工が簡単なものになる。
【００２２】
さらに、浴槽の側面１ａにも水流発生口が設けられている場合には、先ず、この側面１ａの水流発生口から水を噴出させて、浴槽水内に上下方向の循環流を形成させてゴミ等を集め、その後に底側にある水流発生口２から水を噴出させて、さらに効率的にゴミを排出口３に誘導することができ、ゴミ収集を効率的に行うことができるものとなる。
【００２３】
なお、側面１ａの水流発生口内にはノズルが設けられており、このノズルから水を噴出させることができ、ノズルにより水流の向きと水流の勢いが調整できる。
なお、ノズルは、側面１ａから対向する面に向かって真っ直ぐに水を噴出させるように設けても良く、やや上向き、或いはやや下向き等、四方に噴出させるように設けても良い。また、これらを適宜組み合わせても良い。
【図面の簡単な説明】
【００２４】
【図１】浴槽浄化システムの動作を説明するフローチャート図である。
【図２】底面に複数の水流発生口を設けた浴槽を内側から視た斜視構成図である。
【図３】浴槽を外側から視た斜視構成図である。
【符号の説明】
【００２５】
１  浴槽
２  水流発生口（水流発生装置）
３  排出口
５  水溜部
６  循環管路
７  ポンプ
８  ホース（排出装置）
８ａ  開口
【図１】
2009131427.tif 000003
【図２】
2009131427.tif 000004
【図３】
2009131427.tif 000005